(57)【特許請求の範囲】
【請求項１】
物質を睫毛又は眉毛上に塗布することが可能なアプリケータ（１）において、
該アプリケータは支持体（１０、１０’、３０、４０、６０、７０、１１０、１２０）を有し、この支持体は該支持体の２つの対向する領域（１２ａ、１２ｂ；３１ａ、３１ｂ；４１ａ、４１ｂ；１１２ａ、１１２ｂ；１２１ａ、１２１ｂ）の間に位置する少なくとも１つの開口を規定し、該支持体が前記領域の少なくとも一方に接続されると共に他方の領域に向かって延びる突起エレメントを備え、
前記突起エレメントはインターリーブされており、睫毛および眉毛のうちのいずれか一方又は双方に化粧製品を塗布するように構成されている、
アプリケータ。
【請求項２】
請求項１に記載のアプリケータにおいて、前記突起エレメントの全て又は幾つかが、前記他方の領域から或る距離に位置する自由端を各々有していることを特徴とするアプリケータ。
【請求項３】
請求項１又は請求項２に記載のアプリケータにおいて、前記支持体（１０）が前記開口（１４）の周りで閉じていることを特徴とするアプリケータ。
【請求項４】
請求項１又は請求項２に記載のアプリケータにおいて、前記支持体（１０’）が概ねＵ字状であることを特徴とするアプリケータ。
【請求項５】
請求項１ないし４の何れか一項に記載のアプリケータにおいて、前記支持体（１０）が平らであることを特徴とするアプリケータ。
【請求項６】
請求項１ないし４の何れか一項に記載のアプリケータにおいて、前記支持体（６０、７０）が平らでないことを特徴とするアプリケータ。
【請求項７】
請求項６に記載のアプリケータにおいて、前記支持体（６０）がボート状の構造を呈していることを特徴とするアプリケータ。
【請求項８】
請求項６に記載のアプリケータにおいて、前記支持体（７０）は、形状が長軸に沿って概ね長尺であり、直交する軸（Ｙ）の廻りに折曲されていることを特徴とするアプリケータ。
【請求項９】
請求項６に記載のアプリケータにおいて、前記支持体（７０）は、形状が長軸に沿って概ね長尺であり、該長軸（Ｘ）の廻りに折曲されていることを特徴とするアプリケータ。
【請求項１０】
請求項１ないし９の何れか一項に記載のアプリケータにおいて、取手部材（８ａ）に接続された連結部材（８）に対し、前記支持体が一端において接続されていることを特徴とするアプリケータ。
【請求項１１】
請求項１０に記載のアプリケータにおいて、前記支持体（１０）は、前記連結部材から遠い側の端部に向かって形状が概ねテーパ状となっていることを特徴とするアプリケータ。
【請求項１２】
請求項１ないし１１の何れか一項に記載のアプリケータにおいて、前記支持体は、形状が概ね長尺であることを特徴とするアプリケータ。
【請求項１３】
請求項１ないし１２の何れか一項に記載のアプリケータにおいて、該アプリケータは前記支持体の対向する領域を相互接続する材料からなる少なくとも１つのブリッジ（３２、３３；４４）を含んでいることを特徴とするアプリケータ。
【請求項１４】
請求１３に記載のアプリケータにおいて、前記材料からなるブリッジ（４４）が前記支持体の長軸方向に延在していることを特徴とするアプリケータ。
【請求項１５】
請求項１３に記載のアプリケータにおいて、前記材料からなるブリッジ（３２、３３）が前記支持体（３０）の直交方向に延在していることを特徴とするアプリケータ。
【請求項１６】
請求項１３ないし１５の何れか一項に記載のアプリケータにおいて、前記材料からなるブリッジが、歯又は尖端のような少なくとも１つの突起エレメント（１２３、１３２）を有していることを特徴とするアプリケータ。
【請求項１７】
請求項１３ないし１６の何れか一項に記載のアプリケータにおいて、該アプリケータが、前記開口の同じ側に又は前記開口の両側に対して交互に延在する一連の湾曲した材料からなるブリッジ（１２１ａ、１２１ｂ）を含んでいることを特徴とするアプリケータ。
【請求項１８】
請求項１ないし１７の何れか一項に記載のアプリケータにおいて、前記支持体は形状が長尺であり、前記支持体は該支持体の長手方向に略平行に延びる該支持体の領域に接続された突起エレメントを含んでいることを特徴とするアプリケータ。
【請求項１９】
請求項１ないし１８の何れか一項に記載のアプリケータにおいて、前記支持体は、前記突起エレメントを形成するのに使用される材料よりも一層剛性のある材料から形成されていることを特徴とするアプリケータ。
【請求項２０】
請求項１ないし１８の何れか一項に記載のアプリケータにおいて、前記支持体がエラストマ材料から形成されることを特徴とするアプリケータ。
【請求項２１】
請求項１ないし１８の何れか一項に記載のアプリケータにおいて、前記支持体が複合構造のものであることを特徴とするアプリケータ。
【請求項２２】
請求項２１に記載のアプリケータにおいて、前記支持体が補強材（９９）と該補強材の周囲の被覆（１００）とを有し、前記突起エレメント（９１）の少なくとも幾つかが前記被覆を形成するのに使用する材料と同一の材料から形成されていることを特徴とするアプリケータ。
【請求項２３】
請求項１ないし２２の何れか一項に記載のアプリケータにおいて、該アプリケータが前記支持体（１０）の２つの対向する領域上に突起エレメント（１６ｂ、１７ｂ）を含み、前記突起エレメントの前記開口上への直角投影が、該開口を横切る経路の少なくとも一部にわたり延在していることを特徴とするアプリケータ。
【請求項２４】
請求項１ないし２３の何れか一項に記載のアプリケータにおいて、該アプリケータが前記支持体の一方の側のみから突出する突起エレメントを有することを特徴とするアプリケータ。
【請求項２５】
請求項１ないし２３の何れか一項に記載のアプリケータにおいて、該アプリケータが前記支持体の両側から突出する突起エレメントを有することを特徴とするアプリケータ。
【請求項２６】
請求項２５に記載のアプリケータにおいて、該アプリケータが前記支持体の上側でインターリーブされた第１群の突起エレメントと、前記支持体の下側でインターリーブされた第２群の突起エレメントとを含むことを特徴とするアプリケータ。
【請求項２７】
請求項１ないし２３の何れか一項に記載のアプリケータにおいて、該アプリケータが前記開口の一方の側と他方の側とに交互に延びる突起エレメントを含むことを特徴とするアプリケータ。
【請求項２８】
請求項２７に記載のアプリケータにおいて、前記支持体の同一の側から延びる前記突起エレメント（１７ｂ）が、接触しない基部を有していることを特徴とするアプリケータ。
【請求項２９】
請求項１ないし２８の何れか一項に記載のアプリケータにおいて、該アプリケータは、前記支持体上の位置の関数として長さが変化する一連の突起エレメントを含んでいることを特徴とするアプリケータ。
【請求項３０】
請求項２９に記載のアプリケータにおいて、前記突起エレメント（１７ｂ）の長さが、前記支持体の一方の端部から離れるにつれて増加することを特徴とするアプリケータ。
【請求項３１】
請求項１ないし３０の何れか一項に記載のアプリケータにおいて、該アプリケータは、前記開口上への直角投影が全体として該開口内に延在するような突起エレメントを含んでいることを特徴とするアプリケータ。
【請求項３２】
請求項１ないし３０の何れか一項に記載のアプリケータにおいて、該アプリケータは、前記開口上への直角投影が部分的に該開口内に位置し且つ部分的に前記支持体上に位置するような突起エレメントを含んでいることを特徴とするアプリケータ。
【請求項３３】
請求項１ないし３２の何れか一項に記載のアプリケータにおいて、前記突起エレメントの少なくとも幾つかが、テーパ状の歯により構成されていることを特徴とするアプリケータ。
【請求項３４】
請求項１ないし３３の何れか一項に記載のアプリケータにおいて、前記突起エレメントの少なくとも幾つかに関して、これらエレメントと、これらエレメントの直角投影とにより形成される角度（α）が厳密に５度と９０度との間、好ましくは１０度から５０度の範囲内、もっと好ましくは１５度から３０度の範囲内に入ることを特徴とするアプリケータ。
【請求項３５】
請求項１ないし３４の何れか一項に記載のアプリケータにおいて、前記突起エレメントの少なくとも幾つかは、形状が直線的であることを特徴とするアプリケータ。
【請求項３６】
請求項１ないし３５の何れか一項に記載のアプリケータにおいて、前記突起エレメントの少なくとも幾つか（１６’b、１７’b）は、形状が直線的でないことを特徴とするアプリケータ。
【請求項３７】
請求項１ないし３６の何れか一項に記載のアプリケータにおいて、前記突起エレメントの少なくとも幾つかは、これらエレメントの表面上に、フロック加工（８７）、裸眼で見える凹凸状部分（９０）又は睫毛の滑りを改善する被覆を有していることを特徴とするアプリケータ。
【請求項３８】
請求項１ないし３７の何れか一項に記載のアプリケータにおいて、前記突起エレメントは、プラスチック材料により、好ましくは前記支持体と一体的に形成されていることを特徴とするアプリケータ。
【請求項３９】
請求項３８に記載のアプリケータにおいて、前記プラスチック材料が、殺生物剤、滑りを改善する材料又は磁性粒子の充填剤を含むことを特徴とするアプリケータ。
【請求項４０】
請求項１ないし３９の何れか一項に記載のアプリケータにおいて、前記突起エレメントの長さが、０.５mmから１０mmの範囲内、好ましくは２mmから６mmの範囲内に入ることを特徴とするアプリケータ。
【請求項４１】
請求項１ないし４０の何れか一項に記載のアプリケータにおいて、前記突起エレメントと前記支持体とが一緒にアプリケータ部材を規定し、該アプリケータ部材の前記開口に平行な最大横断寸法（ｄ）が、該開口に直交する最大横断寸法（ｈ）より大きいことを特徴とするアプリケータ。
【請求項４２】
請求項１に記載のアプリケータにおいて、前記突起エレメントの少なくとも幾つかが、前記支持体の対向する領域の各々上において、該支持体上にモールド形成するか若しくは重ね射出形成することにより、又は金属シートから切り出すことにより形成されることを特徴とするアプリケータ。
【請求項４３】
請求項１ないし４２の何れか一項に記載のアプリケータと、塗布されるべき物質を収容する容器とを有していることを特徴とする包装及びアプリケータ装置。
【請求項４４】
物質を睫毛又は眉毛上に塗布することが可能なアプリケータ（１）において、
該アプリケータは支持体を有し、この支持体は該支持体の２つの対向する領域の間に位置する少なくとも１つの開口を規定し、該支持体が前記領域の少なくとも一方に接続されると共に他方の領域に向かって延びる突起エレメントを備え、
前記支持体が前記開口の周りで閉じており、睫毛および眉毛のうちのいずれか一方又は双方に化粧製品を塗布するように構成されている、
アプリケータ。
【発明の詳細な説明】
【０００１】
【発明の属する技術分野】
本発明は、特に睫毛又は眉毛のような角質繊維、即ち“毛”を化粧し及び／又は手入れする分野に関するものである。
【０００２】
【従来の技術】
一般的に言って、化粧をする間にユーザがアプリケータを高頻度で再充填する必要がないように、比較的多い量の物質を取り上げることが可能なアプリケータを持ちたいという要望がある。
【０００３】
【発明が解決しようとする課題】
歯の列を有する既知のアプリケータにおいては、歯の間に保持される物質の量は、それら歯の間隔に依存し、歯は睫毛を掴むために互いに比較的接近したままでなければならないことから限界がある。
【０００４】
本発明は、特に睫毛又は眉毛を満足のゆく態様で化粧することが可能であって、充分に長い時間にわたり使用される可能性を提供し、且つ、使用するのに心地よいような新規なアプリケータを提案しようとするものである。
【０００５】
【課題を解決するための手段】
本発明は、これを、前記アプリケータが支持体を含み、この支持体が該支持体の２つの対向する領域の間に位置する少なくとも１つの開口を規定し、該アプリケータが前記領域の少なくとも一方に接続されると共に他方の領域に向けられた突起エレメントを含むという事実により達成される。
【０００６】
本発明によれば、睫毛をつかむような態様で配置された突起エレメントを有し、それでいて再充填の間の充分に長い期間にわたり当該アプリケータが使用され続けるのを可能にするような物質の供給を可能にし、且つ、使用時には睫毛が物質により適切に被覆されるのを可能にするようなアプリケータを形成することができる。
【０００７】
更に、本発明のアプリケータは製造が簡単であり、上記突起エレメントは上記支持体において切り出されるのに適しており、該支持体の上記開口は上記突起エレメントをモールド形成しないことを利用することができる。
【０００８】
上記突起エレメントの少なくとも一部は、上記支持体の対向する各領域上で、該支持体上にモールド形成するか若しくは射出成形することにより、又は金属シートから切り出して変形させることにより形成することができる。
【０００９】
本発明は、単一の支持体が異なる種類及び／又は異なる構造の突起エレメントを担持することを可能にし、特に直角投影が上記支持体の開口に少なくとも一部延在するような或る型式の突起エレメント、及び上記支持体の外周に位置するような他の型式の突起エレメントを担持するのを可能にする。
【００１０】
特別な実施例においては、上記支持体は上記開口の周りで閉じている。
【００１１】
変形例においては、上記支持体は概ねＵ字状とすることができ、その場合、該支持体は上記開口の周りでは完全には閉じていない。
【００１２】
上記支持体は平らであるものとすることができ、変形例では非平坦であるとすることもできる。
【００１３】
上記支持体はボート状構造を呈することもでき、折曲することもできる。
【００１４】
特に、上記支持体は、形状が長軸に沿って概ね長尺であるとすることができ、上記軸の廻りに及び直交する軸の廻りに折曲することもできる。
【００１５】
特別な実施例では、上記支持体は、取手部材に接続された連結部材に一端において接続される。
【００１６】
例示として、上記連結部材は柄により構成することができる。
【００１７】
斯様な状況下では、有利には、上記支持体は該連結部材から遠い側の端部に向かって形状が概ねテーパ状を呈し、該支持体をワイパ部材を介して挿入するのを容易にする。
【００１８】
上記支持体は、形状が概ね長尺であり、上記連結部材の軸に対して平行又は垂直な長軸を有するようにすることができる。
【００１９】
上記突起エレメントの全て又は幾つかは、これらエレメントが接続される上記支持体の領域とは反対側の領域から或る距離に位置するような自由端を各々有している。
【００２０】
このように、上記突起エレメントの幾つかは、上記支持体の２つの対向する領域に、材料からなるブリッジを形成することができ、これにより当該支持体を一層強固にする。
【００２１】
斯様な材料からなるブリッジは、歯又は尖り若しくは尖端のような少なくとも１つの突起形成エレメントを保持するように作用することもできる。
【００２２】
特に、本アプリケータは、上記支持体の長手方向に延びる、又は変形例においては該支持体の直交方向に延びるような、材料からなる１以上のブリッジを有することができる。
【００２３】
特別な実施例においては、本発明のアプリケータは、前記開口の同一の側に、又は他の例として該開口の両側に交互に延在するような、材料からなる一連の湾曲したブリッジを有することができる。
【００２４】
当該支持体が長尺な形状である場合、上記突起エレメントの少なくとも幾つかは、該支持体の長手方向に略平行に延びる領域に接続することができる。
【００２５】
上記支持体は、エラストマ材料から形成することができる。
【００２６】
上記支持体は、上記突起エレメントを形成するのに使用する材料よりも一層剛性のある材料から形成することもできる。
【００２７】
この構成は、使用時の快適さを改善することができる。何故なら、上記突起エレメントが上記支持体より一層柔軟になるからである。
【００２８】
上記支持体は、構造的に複合的なもの、即ち金属補強材を有すると共に該補強材の周りにプラスチック材料の被覆を備えるようにすることもできる。
【００２９】
斯様な状況下では、上記突起エレメントの少なくとも幾つかは上記被覆を形成するのに使用する材料と同一の材料から形成し、他の突起エレメントを任意選択的に上記補強材と同一の材料から形成することもできる。
【００３０】
この構成は、同一のアプリケータ内で、異なる堅さの突起エレメントを有することを可能にする。
【００３１】
また、当該アプリケータは上記支持体の２つの対向する領域から突出する突起エレメントであって、これらエレメントの上記領域間に形成される開口上への直角投影が該開口を横切る経路の少なくとも一部にわたり延在するような突起エレメントを有することができる。
【００３２】
この場合、有利には、上記突起エレメントがインターリーブされるようにする。
【００３３】
この構成は、上記突起エレメントが、睫毛が係合することができるような二又（フォーク）又はＶ字状溝を形成するのを可能にする。
【００３４】
斯様なフォーク又はＶ字状溝は、前記物質を睫毛上になでつけ、これら睫毛をのばし、こえら睫毛を湾曲させるように掴むよう作用する。
【００３５】
当該アプリケータは、上記支持体の一方の側のみに、又は変形例では上記支持体の両方の側に突起エレメントを有することができる。
【００３６】
特に、当該アプリケータは、上記支持体の上側でインターリーブされた第１群の突起エレメントと、上記支持体の下側でインターリーブされた第２群の突起エレメントとを有することができる。
【００３７】
また、当該アプリケータは、上記開口の両方の側から交互に延びる突起エレメントを有することができる。
【００３８】
また、上記支持体の同一の側から延びる突起エレメントは、接触しない基部を有することができる。
【００３９】
また、当該アプリケータは、上記支持体上の位置の関数として長さが変化する一連の突起エレメントを有することができる。
【００４０】
特に、上記突起エレメントの長さは上記支持体の一方の端部から離れるにつれて増加することができる。
【００４１】
また、当該アプリケータは、それらの直角投影が全体として上記開口内に位置するような突起エレメントを有することができる。
【００４２】
また、当該アプリケータは、それらの直角投影が部分的に上記開口内に位置し且つ部分的に前記支持体上に位置するような突起エレメントを有することもできる。
【００４３】
上記突起エレメントの少なくとも一部は、概ねテーパ状の歯により構成することができる。
【００４４】
上記突起エレメントの少なくとも一部に関しては、これらエレメントと、これらエレメントの直角投影とにより形成される角度が、厳密に５度と９０度との間、好ましくは１０度から５０度の範囲内、もっと好ましくは１５度から３０度の範囲内に入るものとすることができる。
【００４５】
この角度は、所望の化粧の関数として、並びに上記突起エレメントの形状及び構造の関数として選択することができる。
【００４６】
上記突起エレメントの少なくとも一部は、形状が直線的なものとすることができ、さもなければ、特に上記突起エレメントは湾曲させることができる。
【００４７】
上記突起エレメントの少なくとも一部は、フロック加工、裸眼で見える凹凸又は睫毛の滑りを改善する被覆を有するような表面を持つことができる。
【００４８】
上記突起エレメントは、プラスチック材料により、好ましくは上記支持体と一体的に形成することができる。
【００４９】
上記プラスチック材料は、殺生物剤、滑りを改善する材料又は磁性粒子により構成される充填剤を有することができる。
【００５０】
上記突起エレメントの長さは、例えば、０.５ミリメートル（mm）から１０mmの範囲内、好ましくは２mmから６mmの範囲内に入るものとすることができる。
【００５１】
上記突起エレメントは、好ましくは、上記支持体と共動して、アプリケータ部材を規定し、該アプリケータ部材の前記開口に平行な最大横断寸法ｄが、該開口に直交する最大横断寸法より大きいものとする。
【００５２】
また、本発明は上記のようなアプリケータと、塗布されるべき物質を収容する容器とを備えるような包装及びアプリケータ装置も提供する。
【００５３】
本発明は、非限定的な実施例の以下の詳細な説明を読むことにより、及び添付図面を精査することにより、より良く理解されるであろう。
【００５４】
【発明の実施の形態】
図１に示す包装及びアプリケータ装置１は、例えばマスカラ等の睫毛又は眉毛の化粧及び又は手入れ製品の貯蔵物３を格納する容器２を有している。
【００５５】
該容器２は首部を有している。
【００５６】
容器２の開口部の内側は、首部４に挿入されたエラストマ部品により通常の方法で構成されると共に、底部に円形のワイパ・オリフィス６を備えるワイパ部材５を有している。
【００５７】
当該装置１はアプリケータ７を含み、該アプリケータは一端にアプリケータ・エレメント９が設けられると共に他端に取手エレメント８ａが設けられた軸Ｘの柄８を有している。上記取手エレメント８ａは容器２を密封状態で閉じる蓋としても作用すると共に、前記首部に係合するよう構成されている。
【００５８】
柄８は剛性的であるか又は半剛性的とすることができる。
【００５９】
該柄は直線状であるとして図示されているが、変形例においては湾曲していてもよい。
【００６０】
ワイパ・オリフィス６は、上記アプリケータが容器２から抜き取られる場合に柄８及びアプリケータ・エレメント９を拭うのに適した直径を有している。
【００６１】
変形例においては、前記ワイパ部材は如何なる他の既知の型式のものでもよく、例えば該部材は連続気泡型フォーム材のブロックにより構成することもできる。
【００６２】
アプリケータ・エレメント９は当該アプリケータの柄８と一体的に形成するか、又は該柄に取り付けることができる。
【００６３】
図２は上記アプリケータ・エレメント９を拡大して示す。
【００６４】
アプリケータ・エレメント９は概ね額縁の形態の支持体１０を有し、該支持体は長手軸Ｘに対して垂直に延びると共に柄８に接続された後部領域１１と、支持体１０の柄８から遠い側の前側領域１３において合体する２つの側部領域１２ａ及び１２ｂとを有している。
【００６５】
支持体１０は、前方に向かって概ねテーパ状となっており、かくして、当該アプリケータが容器２に戻すように挿入される場合に該支持体がワイパ部材５を介して通過するのを容易にしている。
【００６６】
支持体１０は、完全に囲繞する面状開口１４を規定している。
【００６７】
この場合、支持体１０の厚さは一様であるが、該厚さは、例えば前方に向かって減少するように、変化する厚さのものでもよい。
【００６８】
領域１２ｂは、該領域の外側縁に一連の歯１５を有し、これら歯は塗布の際に使用することができる。
【００６９】
アプリケータ・エレメント９は上記開口１４の面から外側に突出する突起エレメントの２つの系列１６及び１７を有している。
【００７０】
第１の系列１６は、全てが領域１２ｂの方向を向くと共に、交互に上記開口１４の面の下側及び上側に延びる一連のテーパ状の歯１６ａ及び１６ｂからなっている。
【００７１】
第２の系列１７は、全てが領域１２ａの方向を向くと共に、交互に上記開口１４の面の下側及び上側に延びる一連のテーパ状の歯１７ａ及び１７ｂを有している。
【００７２】
図２のIII−III線に沿う断面である図３から分かるように、歯１６ａ及び１７ａはインターリーブされており、歯１６ｂ及び１７ｂに関しても同様である。
【００７３】
歯１６ａ、１６ｂ、１７ａ及び１７ｂは、前側に向かって長さが減少するものである。
【００７４】
上記歯と、これら歯の開口１４の面上への直角投影との間に形成される角度αは、所望の化粧の関数として選定される。
【００７５】
記載される該例においては、図３から分かるように、該角度は約３０度である。
【００７６】
通常、該角度αは厳格に５度と９０度との間にある。
【００７７】
図３から、突起エレメント１６ａ、１６ｂ、１７ａ及び１７ｂが直角に投影された場合、これらの投影は完全に開口１４内に入ることが分かる。
【００７８】
物質は、開口１４内の上記歯の間に含まれることができ、かくして、当該アプリケータ・エレメントが再充填の間に充分に長い時間にわたって使用され続けることを可能にする。
【００７９】
更に、上記歯の構造及びこれら歯が上記支持体状に配置される態様は、以下に詳述するように、睫毛をとかし及びわけるのを容易にすると共に、物質をそれらの表面にのばすのを容易にする。
【００８０】
勿論、本発明は図２及び図３に示した構成に限定されるものではない。
【００８１】
特に、上記歯の形状は図４に示すように、変更することができる。
【００８２】
この図には、歯１６ｂ及び１７ｂが完全には直線的ではない歯１６’b及び１７’bにより置換され、これら歯の各々が、当該アプリケータ・エレメントが支持体１０を水平にし、歯１６’b及び１７’bを支持体１０の上側に位置されるようにして見た場合に、上方に湾曲した端部２１を持つ直線状の基部２０を有する点で、図２及び図３を参照して説明したものとは相違するようなアプリケータ・エレメントが示されている。
【００８３】
上記アプリケータ・エレメントは、図５に示すように、支持体１０の単一の側のみに歯を有することもできる。
【００８４】
同様に、上記アプリケータ・エレメントは、図６に示すように、上記支持体における前記側部領域の一方のみに、且つ、該支持体の一方の側の上側のみに歯を有することもできる。
【００８５】
上記アプリケータ・エレメントは、図７に示すように、上記側部領域の一方につながると共に該支持体の一方の側から延在するような突起エレメントを有し、且つ、他方の側部領域につながると共に該支持体の他方の側へ延在するような突起エレメントを有することもできる。
【００８６】
上記アプリケータ・エレメントは、図８に示すように、上記支持体の側部領域の一方のみに接続されると共に、開口１４の両側に交互に配置されるような突起エレメントを有することもできる。
【００８７】
上述した全ての例において、当該アプリケータの開口１４と平行に測定された横断寸法ｄは、該開口１４に垂直に測定された横断寸法ｈよりも大きい。
【００８８】
更に、上述した例では、上記寸法ｄはワイパ・オリフィス６の直径よりも大きく、かくして、このオリフィスは当該アプリケータが上記オリフィスに受け入れられた状態で該オリフィスを通過する場合に楕円断面を呈する。
【００８９】
ワイパ・オリフィス６の直径を適切に選定することにより、上記支持体の開口の面から外方に延びる上記突起エレメントを大きな程度に又は小さな程度に拭うことができる。
【００９０】
上記支持体は、図２に示したものとは異なる構造を有することもできる。
【００９１】
例示として、図９は、側部領域１２ａ及び１２ｂを結合する前部領域１３が存在せず、これにより当該支持体が概ねＵ字状を呈するようにさせた点で、図２を参照して説明したものとは相違する支持体１０’を示している。
【００９２】
当該アプリケータの実施例は、上記支持体により規定される開口を横切って通過すると共に該支持体の対向する側部領域を相互接続するような材料からなるブリッジを有することもでき、これにより上記支持体に一層大きな強度を付与する。
【００９３】
例示として、図１０は、前述した支持体１０の側部領域１２ａ及び１２ｂと類似の側部領域３１ａ及び３１ｂを有し、これら側部領域３１ａ及び３１ｂを相互接続するような材料からなる２つの横断ブリッジ３２及び３３を備える支持体３０を示している。
【００９４】
図１１に示す支持体４０は、側部領域４１ａ及び４１ｂと、柄８に接続された後部領域４２と、前部領域４３と、上記前部領域４３及び後部領域４２の間で当該支持体の長手方向に且つ側部領域４１ａ及び４１ｂと略平行に延びるような材料からなるブリッジ４４とを有している。
【００９５】
この材料からなるブリッジ４４は、２つの開口４５と４６との間に位置する。
【００９６】
各開口４５又は４６には、自身の２つの系列の突起エレメントが組み合わされており、これらエレメントの当該支持体の面上への直角投影は当該開口内に延在している。
【００９７】
このように、開口４５は２つの系列の突起エレメント４８及び４９と組み合わされ、開口４６は２つの系列の突起エレメント５０及び５１と組み合わされている。
【００９８】
系列４８及び４９は、開口４５の面の上側及び下側で各々インターリーブされた突起エレメントの群を有している。
【００９９】
歯５０及び５１の系列も、同様に、開口４６の面の上側及び下側でインターリーブされた突起エレメントを有している。
【０１００】
上記支持部は平らである必要はなく、図１２に示すようにボート形状の構造を有していてもよい。
【０１０１】
この図は、図面を明瞭にするために、如何なる突起エレメントもなしで支持体自身を示している。
【０１０２】
該支持体６０は、平行であって、後端において（即ち柄８に隣接して）弧状部６２により相互接続され、且つ、前端において他の弧状部６３により相互接続された２つの側部領域６１ａ及び６１ｂを有していることが分かる。
【０１０３】
上記弧状部６２及び６３は、支持体６０の長手軸Ｘの廻りに湾曲している。
【０１０４】
突起エレメント（図示略）は、上記側部領域６１ａ及び６１ｂに接続される。
【０１０５】
また、上記支持体は、図１３に示すように、横方向の軸の廻りに湾曲された形状でもよい。
【０１０６】
この図には、後端において短辺７１を介して柄８に接続された長方形の枠の形態の支持体７０が見られる。
【０１０７】
該支持体の側部領域を構成する上記枠の長辺７２ａ及び７２ｂは、当該支持体の長軸に垂直な軸Ｙの廻りに図１３における上方に向かって、これら長辺の長さに沿う略半行程で折曲されている。
【０１０８】
側部領域７２ａ及び７２ｂは、図では明瞭化のために示されていない突起エレメントを担持する。
【０１０９】
上記側部領域は、有利には、瞼の輪郭に一致するような態様で湾曲される。
【０１１０】
前記突起エレメントは、上記支持体に種々の方法で接続することができ、これら突起エレメントは多様な構造を呈することができる。
【０１１１】
図１４は、上記支持体の側部領域（例えば、前述した側部領域１２ａ又は１２ｂの一方）の一部を、増大された頭部８１を備える毛材の形態の突起エレメント８０と共に図示している。
【０１１２】
この毛材は、上記支持体の側部領域における該支持体により規定される開口（即ち、前記開口１４）に面する側面８２に接続されている。
【０１１３】
上記突起エレメントも、幾つかの他の形状のものとすることができる。
【０１１４】
例示として、図１５は、上述した側面８２に同様に接続されているが、湾曲した自由端８５を持つ鉤状の突起エレメント８４を示している。
【０１１５】
上記突起エレメントは、図１６に示すように、その表面にフロック加工被覆を有することもできる。
【０１１６】
この図は、表面がフロック加工の被覆８７により覆われた突起エレメント８６を示している。
【０１１７】
この突起エレメントは、当該支持体の側部領域における側面８２と上面８８とに接続されている。
【０１１８】
また、上記突起エレメントは、図１７に示すように、裸眼により見えるような凹凸の又は粗い部分を有することもできる。
【０１１９】
この図は、上述したエレメント８６と同様にして上記支持体に接続されると共に、その表面の少なくとも一部に前記物質の保持を及び多分睫毛をつかむ能力を改善するよう作用する尖り又は尖端９０有するような突起エレメント８９を示している。
【０１２０】
また、上記突起エレメントは、図１８に示すエレメント９１の場合のように、自由端にフォーク９２を含むこともでき、斯様なフォークは塗布の際に睫毛のとかしを改善させる。
【０１２１】
更に、この図は上記支持体を複合構造から形成する可能性を示している。
【０１２２】
該支持体が、例えば金属からなる補強材９９を有し、該補強材は上にモールド形成されたプラスチック材料の被覆１００を有し、突起エレメントが該被覆と一体的に形成されていることが分かる。
【０１２３】
アプリケータ・エレメント９が使用される方法を、以下に例示として説明する。
【０１２４】
物質により一旦充填され、容器２から引き出されると、支持体１０は睫毛の近くに持っていかれ、睫毛と接触した状態で自身の長軸に対して垂直な方向に動かされる。
【０１２５】
睫毛Ｃは、例えば図１９及び２０に示すように、上記支持体の２つの対向する側部領域から各々突出する隣接する歯（例えば、歯１６ｂ及び１７ｂ）の間に係合し得る。
【０１２６】
睫毛Ｃは、上記歯の間に存在する物質Ｐに含浸された状態になり、該物質は、これら２つの歯のおける当該アプリケータ・エレメント９を側部から見た場合にＶ字状溝９６を形成する隣接した縁部によりなでつけることができる。
【０１２７】
上記歯が睫毛をつかむのを可能にするためには、上記支持体の対向する側部領域から突出する２つの隣接する歯の間の間隔が、睫毛が支持体に届き得ないことを保証する程、確かに充分に小さくすることが好ましい。
【０１２８】
睫毛をつかむようにするには、上記突起エレメントを他の構造で配置することも可能である。
【０１２９】
かくして、図２１に示すように、上記歯を、上記支持体の同一の側部領域から突出する２つの歯が睫毛をつかむのに適したＶ字状の溝を形成するように配置することも可能である。
【０１３０】
図２２は、如何にして、上記支持体が湾曲した長軸に沿って長尺を呈することができるかを示している。
【０１３１】
このように、この図は腎臓型の開口１１１を規定するような支持体１１０を示している。
【０１３２】
側部領域１１２ａ及び１１２ｂは、前述した２つの系列１６及び１７と同様の、各系列の突起エレメントを支持している。
【０１３３】
図２３は、前述した支持体１０と同様の支持体１２０を有するアプリケータを示している。
【０１３４】
該アプリケータは、支持体１２０により規定される開口１２２の上側及び下側に交互に延在する、材料からなる一連の湾曲ブリッジ１２１ａ、１２１ｂを有している。
【０１３５】
上記材料からなる各ブリッジ１２１ａには、それらの凸状外面上に尖り又は尖端１２３が設けられている。
【０１３６】
同様のことが、材料からなるブリッジ１２１ｂにも当てはまる。
【０１３７】
図２３の例では、材料からなるブリッジ１２１ａ及び１２１ｂは横断方向に延在しているが、これらブリッジは長手方向に延在していてもよい。
【０１３８】
例示として、図２４は、前述した２つの系列１６及び１７と類似した突起エレメントの２つの系列１３５及び１３６の間において長手方向に延びるような、材料からなるブリッジ１３０を有するアプリケータを示している。
【０１３９】
材料からなるブリッジ１３０は、その凸状外面上で一列の尖端１３２を支持している。
【０１４０】
上記尖端１３２は系列１３５及び１３６の突起エレメントの自由端の背後に後退されていることが分かるであろう。
【０１４１】
勿論、本発明は上述した実施例に限定されるものではない。
【０１４２】
特に、アプリケータの実施例は鋳型形成以外により形成することもでき、例えば、金属シートを切り出し及び整形することによっても形成することができる。
【０１４３】
また、射出成形により、上記支持体上に上記突起エレメントを重ねモールド形成することも可能である。
【０１４４】
上記支持体も、上記突起エレメントがそうであるように、図示したもの以外の構造で形成することができる。
【図面の簡単な説明】
【図１】図１は、本発明のアプリケータを含む包装及びアプリケータ装置の概略軸断面図である。
【図２】図２は、図１のアプリケータを分離して示す。
【図３】図３は、支持体上の突起エレメントの或る構造を示す。
【図４】図４は、支持体上の突起エレメントの他の構造を示す。
【図５】図５は、支持体上の突起エレメントの更に他の構造を示す。
【図６】図６は、支持体上の突起エレメントの更に他の構造を示す。
【図７】図７は、支持体上の突起エレメントの更に他の構造を示す。
【図８】図８は、支持体上の突起エレメントの更に他の構造を示す。
【図９】図９は、支持体の或る構造を示す。
【図１０】図１０は、支持体の他の構造を示す。
【図１１】図１１は、支持体の更に他の構造を示す。
【図１２】図１２は、支持体の更に他の構造を示す。
【図１３】図１３は、支持体の更に他の構造を示す。
【図１４】図１４は、突起エレメントの或る構造及び該突起エレメントを支持体に接続することができる或る方法を示す。
【図１５】図１５は、突起エレメントの他の構造及び該突起エレメントを支持体に接続することができる他の方法を示す。
【図１６】図１６は、突起エレメントの更に他の構造及び該突起エレメントを支持体に接続することができる更に他の方法を示す。
【図１７】図１７は、突起エレメントの更に他の構造及び該突起エレメントを支持体に接続することができる更に他の方法を示す。
【図１８】図１８は、突起エレメントの更に他の構造及び該突起エレメントを支持体に接続することができる更に他の方法を示す。
【図１９】図１９は、２つの歯の間に係合された睫毛を示す概略斜視図である。
【図２０】図２０は、図１９における矢印ＸＸに沿って見た概略図で、睫毛は断面で示されている。
【図２１】図２１は、歯の異なる配置に関する図２０と同様の図である。
【図２２】図２２は、湾曲したアプリケータの概略斜視図である。
【図２３】図２３は、開口の両側に交互に配置された一連の材料からなるブリッジを有するような変形実施例を示す。
【図２４】図２４は、変形例アプリケータの概略図である。
【符号の説明】
１…包装及びアプリケータ装置
２…容器
５…ワイパ部材
６…ワイパ・オリフィス
８…連結部材（柄）
８ａ…取手部材（取手エレメント）
９…アプリケータ・エレメント
１０，１０’、３０、４０、６０、７０、１１０、１２０…支持体
１２ａ、１２ｂ、３１ａ、３１ｂ、４１ａ、４１ｂ、１１２ａ、１１２ｂ、１２１ａ、１２１ｂ…側部領域
１４…開口
１６、１７…突起エレメント
３２、３３、３４…材料からなるブリッジ
【図１】
0003677222.tif 000002
【図２】
0003677222.tif 000003
【図３】
0003677222.tif 000004
【図４】
0003677222.tif 000005
【図５】
0003677222.tif 000006
【図６】
0003677222.tif 000007
【図７】
0003677222.tif 000008
【図８】
0003677222.tif 000009
【図９】
0003677222.tif 000010
【図１０】
0003677222.tif 000011
【図１１】
0003677222.tif 000012
【図１２】
0003677222.tif 000013
【図１３】
0003677222.tif 000014
【図１４】
0003677222.tif 000015
【図１５】
0003677222.tif 000016
【図１６】
0003677222.tif 000017
【図１７】
0003677222.tif 000018
【図１８】
0003677222.tif 000019
【図１９】
0003677222.tif 000020
【図２０】
0003677222.tif 000021
【図２１】
0003677222.tif 000022
【図２２】
0003677222.tif 000023
【図２３】
0003677222.tif 000024
【図２４】
0003677222.tif 000025